(57)【要約】【課題】筒状部材を軸方向に沿って小型化する。【解決手段】天井面Ｃに設置の配線器具（引掛シーリングＢ）に対応する位置に形成された挿入孔１ａを有する本体１と、この本体１に取着され挿入孔１ａと同軸となってその挿入孔１ａの外側から下方に伸びる筒状部材１１Ａと、蛍光灯と、筒状部材１１Ａ内で本体１の挿入孔ａの位置にくる配線器具Ｂ側に配線される電源線３１から、電力の供給を受けて蛍光灯を点灯する電子式安定器とを備えた。そして、筒状部材１１Ａの外周面に、当該筒状部材１１Ａの開口縁部側から本体１側に向けて電源線３１を固定するとともに、本体１側における電源線３１を当該筒状部材１１Ａの半径方向に向けて固定することにより、電源線３１を張力止めする係止部１１１を形成した。【選択図】　図１
2004134124.tif 000002
【特許請求の範囲】
【請求項１】
天井取付型の照明器具であって、
天井面に設置の配線器具に対応する位置に形成された挿入孔を有する本体と、この本体に取着され前記挿入孔側から下方に伸びる筒状部材と、光源と、前記本体の挿入孔位置にくる前記配線器具側に配線される電源線から電力の供給を受けて前記光源を点灯する電子機器とを備え、
前記筒状部材の外周面には、当該筒状部材の開口縁部側から前記本体側に向けて前記電源線を固定するとともに、前記本体側における前記電源線を当該筒状部材の半径方向に向けて固定することにより、前記電源線を張力止めする係止部が形成されている
ことを特徴とする照明器具。
【請求項２】
前記本体と前記光源との間に配置されるとともに前記電子機器を前記本体とで覆う反射板を備え、
前記反射板は、前記筒状部材の開口縁部に対応する露出孔を有しているとともに、その露出孔の外周部分に前記電源線の水平方向のずれを規制するための切欠きを有している
ことを特徴とする請求項１記載の照明器具。
【発明の詳細な説明】
【０００１】
【発明の属する技術分野】
本発明は天井取付型の照明器具に関するものである。
【０００２】
【従来の技術】
図４は従来の照明器具の分解斜視図、図５は同照明器具の一部断面図、図６は同照明装置の筒状部材周辺の構造を示す図である。
【０００３】
図４〜図６に示す従来の照明器具は、天井面Ｃに沿って進退自在に突出する一対の係止片Ａ１が設けられた取付アダプタＡを介して、天井面Ｃに設置の引掛シーリングや埋込ローゼットなどの配線器具（図５の例では引掛シーリングＢ）に取り付けられる天井取付型のものである。
【０００４】
照明器具は、円盤状に形成された例えば金属製の本体１と、環形で定格出力および管径が異なる大小２種類の蛍光灯（図示せず）と、蛍光灯点灯用であってＵ字状のプリント配線基板３０に形成されてなる電子式安定器３と、本体１と蛍光灯との間に配置されるとともに電子式安定器３を本体１とで覆う反射板４と、蛍光灯および反射板４を覆うように本体１に取り付けられる透光性のグローブ（図示せず）とを備えている。
【０００５】
本体１の中央部には、配線器具挿入用の例えば円状の挿入孔１ａが形成されているほか、取付アダプタＡ挿入用で挿入孔１ａと同軸となる円状の挿入孔１０ａを底部１００に持ち、上方の開口縁部に四角形状のフランジ部１０１を持つ例えば絶縁樹脂製の有底円筒部１０が一体に取着されている。また、底部１００の挿入孔１０ａの周縁には下方に突出するリング状のリブ１０２が形成されている。なお、本体１の中央部は、有底円筒部１０の形状に合わせて下方に突出する形状に形成される（図１参照）。
【０００６】
そして、有底円筒部１０の底部１００には、例えば複数のねじＳ１により、挿入孔１ａ，１０ａと同軸となってそれらの外側から下方に伸びる例えば絶縁樹脂製の筒状部材１１がねじ止めされている。この筒状部材１１の内壁には、取付アダプタＡの各係止片Ａ１に対する掛かり部１１０が、取付アダプタＡの円筒状の側壁と嵌合するように周設されている。従って、挿入孔１０ａに取付アダプタＡを挿入し、取付アダプタＡの各係止片Ａ１を筒状部材１１の掛かり部１１０に係合すれば、本体１が取付アダプタＡおよび引掛シーリングＢを介して天井面Ｃに取り付けられることになる。なお、図５の例では、挿入孔１０ａの周縁に形成されたリブ１０２も取付アダプタＡの各係止片Ａ１と係合するようになっている。
【０００７】
一方、本体１の周部には、後述のグローブに形成された複数の係止爪と係合する複数のグローブガイド１２および固定部１３が一体に設けられている。
【０００８】
本体１における中央部と周部との間には、ソケット引掛爪１４、ソケット引掛孔１５および靴状の一対の絶縁隔壁１６が設けられ、これらのうちソケット引掛爪１４および一対の絶縁隔壁１６は有底円筒部１０のフランジ部１０１に一体成形されている。
【０００９】
電子式安定器３は、例えば、商用電源を整流および平滑などして直流電力を得る直流電源、およびこの直流電源で得られた直流電力を高周波電力に変換するインバータなどにより構成され、本体１の下面から離隔した状態で有底円筒部１０の下方に取付固定される。
【００１０】
プリント配線基板３０には、上記直流電源およびインバータなどを構成するための各種部品が実装されているほか、例えばプラグ式コネクタ３１０付きの電源線３１が接続されている。この電源線３１は、筒状部材１１内で、本体１の挿入孔１ａの位置にくる配線器具側に配線され、その配線器具に取り付けられた取付アダプタＡのジャック式のコネクタＡ２に、電源線３１のコネクタ３１０が接続される。これにより、電子式安定器３の直流電源が電源線３１から電力の供給を受けることになる。
【００１１】
また、プリント配線基板３０には、インバータで変換された高周波電力を各蛍光灯に供給するためのソケット３２が、例えば電線またはピンなどを介して電気的に接続される。ソケット３２は、本体１側のソケット引掛爪１４およびソケット引掛孔１５とそれぞれ係合する固定用凹部３２１および固定用爪部３２２を有しており、本体１の下面に着脱自在に固定されるようになっている。
【００１２】
さらに、プリント配線基板３０には、蛍光灯の点灯／消灯切替用として引き輪３３０を有するスイッチ３３、および豆球（図示せず）着脱用の豆球ソケット３４などが実装されている。スイッチ３３をプリント配線基板３０に実装することで、電子式安定器３およびスイッチ３３に対する配線処理が不要となる。
【００１３】
反射板４は、金属板によって皿ないし椀状、図４の例では円状の平坦な底部４０、緩やかに傾斜する下側周部４１およびこれよりも急な上側周部４２を有する形状に形成され、その開口端周縁には全周に渡ってリング状の外鍔４３が突設されている。
【００１４】
反射板４の底部４０には、筒状部材１１内に位置する取付アダプタＡを露出するための円状の露出孔４０ａが中央に形成され、この外側に豆球を豆球ソケット３４に装着するための挿通孔４０ｂが形成されている。
【００１５】
反射板４の外周側には、例えばねじＳ１により絶縁隔壁１６内にねじ止めされるランプ支持バネ１７を挿通するためのランプ支持バネ取付孔４ａが一対形成されているとともに、本体１に固定されるソケット３２を挿通するための挿通孔４ｂが露出孔４０ａを挟んだ反対側に形成されている。
【００１６】
このような構造の反射板４は、例えば複数のねじＳ１により反射板４の外鍔４３を本体１の下面にねじ止めすることで本体１に取り付けられる。そして、反射板４の下方に突出する一対のランプ支持バネ１７およびソケット３２に支持されて、ソケット３２を介して電子式安定器３に電気的に接続される各蛍光灯と、本体１との間に、反射板４が配置されることになる。
【００１７】
グローブは、アクリル樹脂などの透光性を有する合成樹脂によって上面に円状の開口を有するドーム状に形成される。開口の周縁からは全周に亘って周壁が立設され、この周壁の先端からは外向きに突出するフランジ部が形成されている。また、周壁の内周面には、平面視略山形で周壁の高さよりも若干小さな厚み寸法を有する係止爪が略等間隔に複数個突設されている。従って、グローブの開口内に蛍光灯や反射板４などを収納しながら、グローブを回転させて各係止爪を本体１の各グローブガイド１２および各固定部１３に係止すれば、グローブが本体１に取付固定されることになる。
【００１８】
このほか、上記照明器具に類似するものとしては、例えば特許文献１〜３などに記載された照明器具がある。
【００１９】
【特許文献１】
特開２００１−０７６５１８号公報
【特許文献２】
特開２００１−０７６５３０号公報
【特許文献３】
特開２００１−０７６５３１号公報
【００２０】
【発明が解決しようとする課題】
図４〜図６に示した従来の照明器具では、電源線３１が、筒状部材１１内から半径方向に沿って引き出され、筒状部材１１の外周の接線方向に沿って屈曲されることにより、張力止めされることから、電源線３１を筒状部材１１内から半径方向に沿って引き出すためのスペースが筒状部材１１に必要となるため、そのスペースと筒状部材１１内での取付アダプタＡとの位置関係で、筒状部材１１を軸方向に沿って小型化することが困難であった。
【００２１】
本発明は、上記事情に鑑みてなされたものであり、筒状部材を軸方向に沿って小型化することができる照明器具を提供することを目的とする。
【００２２】
【課題を解決するための手段】
上記課題を解決するための請求項１記載の発明は、天井取付型の照明器具であって、天井面に設置の配線器具に対応する位置に形成された挿入孔を有する本体と、この本体に取着され前記挿入孔側から下方に伸びる筒状部材と、光源と、前記本体の挿入孔位置にくる前記配線器具側に配線される電源線から電力の供給を受けて前記光源を点灯する電子機器とを備え、前記筒状部材の外周面には、当該筒状部材の開口縁部側から前記本体側に向けて前記電源線を固定するとともに、前記本体側における前記電源線を当該筒状部材の半径方向に向けて固定することにより、前記電源線を張力止めする係止部が形成されていることを特徴とする。
【００２３】
請求項２記載の発明は、請求項１記載の照明器具において、前記本体と前記光源との間に配置されるとともに前記電子機器を前記本体とで覆う反射板を備え、前記反射板は、前記筒状部材の開口縁部に対応する露出孔を有しているとともに、その露出孔の外周部分に前記電源線の水平方向のずれを規制するための切欠きを有していることを特徴とする。
【００２４】
【発明の実施の形態】
図１は本発明に係る一実施形態の照明器具の一部断面図、図２は反射板を外して同照明装置の筒状部材周辺を見た様子を示す図、図３は反射板を付けて同照明装置の筒状部材周辺を見た様子を示す図である。
【００２５】
本実施形態の照明器具は、図４〜図６に示した従来の照明器具との相違点として、筒状部材１１および反射板４に代えて、それぞれ図１〜図３に示すように、筒状部材１１Ａおよび反射板４Ａを備えている。
【００２６】
筒状部材１１Ａは、筒状部材１１との相違点として、筒状部材１１Ａの開口縁部側から本体１側に向けて電源線３１を固定するための断面Ｌ字状の突片部１１１ａと、本体１側における電源線３１を当該筒状部材１１Ａの半径方向に向けて固定するための板状の突片部１１１ｂとにより構成され、電源線３１を張力止めする係止部１１１を外周面に一体に有する構造になっている。
【００２７】
反射板４Ａは、反射板４との相違点として、挿入孔１ａ’が有底円筒部１０の挿入孔１０ａ上方外周縁および配線器具挿入用として挿入孔１ａに代えて形成されているほか、露出孔４０ａの外周部分に係止部１１１によって張力止めされた電源線３１の水平方向のずれを規制するための切欠き４ｃ（図４の点線部４ｃ参照）を有し、高さ寸法が反射板４のそれよりも小寸法に設定されている。
【００２８】
以上の構造によれば、筒状部材１１Ａの開口縁部側から本体１側に向けて電源線３１が固定され、本体１側における電源線３１が筒状部材１１Ａの半径方向に向けて固定されるので、図４〜図６に示した従来の照明器具のように、電源線３１を筒状部材内から半径方向に沿って引き出すためのスペースを筒状部材に確保する必要がなくなるから、筒状部材１１Ａを軸方向に沿って小型化することができる。
【００２９】
また、係止部１１１によって張力止めされた電源線３１の水平方向のずれが切欠き４ｃによって規制されるので、電源線３１の張力止めされた状態を保持することができる。
【００３０】
【発明の効果】
以上のことから明らかなように、請求項１記載の発明は、天井取付型の照明器具であって、天井面に設置の配線器具に対応する位置に形成された挿入孔を有する本体と、この本体に取着され前記挿入孔側から下方に伸びる筒状部材と、光源と、前記本体の挿入孔位置にくる前記配線器具側に配線される電源線から電力の供給を受けて前記光源を点灯する電子機器とを備え、前記筒状部材の外周面には、当該筒状部材の開口縁部側から前記本体側に向けて前記電源線を固定するとともに、前記本体側における前記電源線を当該筒状部材の半径方向に向けて固定することにより、前記電源線を張力止めする係止部が形成されているので、配線器具側に配線される電源線が筒状部材の開口縁部を跨いだ状態でその開口縁部側から本体側に向けて固定され、本体側における電源線が筒状部材の半径方向に向けて固定されることになるから、筒状部材を軸方向に沿って小型化することができる。
【００３１】
請求項２記載の発明は、請求項１記載の照明器具において、前記本体と前記光源との間に配置されるとともに前記電子機器を前記本体とで覆う反射板を備え、前記反射板は、前記筒状部材の開口縁部に対応する露出孔を有しているとともに、その露出孔の外周部分に前記電源線の水平方向のずれを規制するための切欠きを有しているので、電源線の張力止めされた状態を保持することができる。
【図面の簡単な説明】
【図１】本発明に係る一実施形態の照明器具の一部断面図である。
【図２】反射板を外して同照明装置の筒状部材周辺を見た様子を示す図である。
【図３】反射板を付けて同照明装置の筒状部材周辺を見た様子を示す図である。
【図４】従来の照明器具の分解斜視図である。
【図５】同照明器具の一部断面図である。
【図６】同照明装置の筒状部材周辺の構造を示す図である。
【符号の説明】
Ａ　取付アダプタ
Ａ１　係止片
Ａ２　コネクタ
Ｂ　引掛シーリング
１　本体
１ａ　挿入孔
１０　有底円筒部
１０ａ　挿入孔
１００　底部
１０１　フランジ部
１０２　リブ
１１Ａ　筒状部材
１１０　掛かり部
１１１　係止部
１２　グローブガイド
１３　固定部
１４　ソケット引掛爪
１５　ソケット引掛孔
１６　絶縁隔壁
１７　ランプ支持バネ
３　電子式安定器
３０　プリント配線基板
３１　電源線
３２　ソケット
３３　スイッチ
３４　豆球ソケット
４Ａ　反射板
４ａ　ランプ支持バネ取付孔
４ｂ　挿通孔
４ｃ　切欠き
４０　底部
４０ａ　露出孔
４０ｂ　挿通孔
４１　下側周部
４２　上側周部
４３　外鍔
【図１】
2004134124.tif 000003
【図２】
2004134124.tif 000004
【図３】
2004134124.tif 000005
【図４】
2004134124.tif 000006
【図５】
2004134124.tif 000007
【図６】
2004134124.tif 000008